(57)【要約】【課題】本発明は、液晶表示パネルから突出するフレキシブル回路基板が他の部品と接触することの防止を目的とする。【解決手段】液晶表示装置は、上フレーム１４及び下フレーム２８に挟まれて固定された中間フレーム１８と、上フレーム１４と中間フレーム１８の間に配置された液晶表示パネル１０と、液晶表示パネル１０の端部に取り付けられて上フレーム１４と中間フレーム１８の間の空間に突出するフレキシブル配線基板１６と、を有する。中間フレーム１８は、液晶表示パネル１０の裏面を支持する支持部５４と、蛍光管３０の一部及び下フレーム２８の蛍光管３０よりも外側の領域を覆う光反射カバー部４４と、支持部５４及び光反射カバー部４４を一体的に連結して上フレーム１４及び下フレーム２８に固定されるための連結部５６と、を含む。連結部５６は、フレキシブル配線基板１６と対向する領域に凹部６０を有する。【選択図】図４
2011138084.tif 000002
【特許請求の範囲】
【請求項１】
上フレームと、
下フレームと、
前記上フレーム及び前記下フレームに挟まれて固定された中間フレームと、
前記上フレームと前記中間フレームの間に配置された液晶表示パネルと、
前記液晶表示パネルの端部に取り付けられて前記上フレームと前記中間フレームの間の空間に突出するフレキシブル配線基板と、
前記液晶表示パネルと前記下フレームとの間に配置されて前記下フレームに取り付けられた蛍光管と、
を有し、
前記中間フレームは、前記液晶表示パネルの裏面を支持する支持部と、前記蛍光管の一部及び前記下フレームの前記蛍光管よりも外側の領域を覆う光反射カバー部と、前記支持部及び前記光反射カバー部を一体的に連結して前記上フレーム及び前記下フレームに固定されるための連結部と、を含み、
前記連結部は、前記フレキシブル配線基板と対向する領域に凹部を有することを特徴とする液晶表示装置。
【請求項２】
請求項１に記載された液晶表示装置において、
前記フレキシブル配線基板には、前記凹部を向く側に、前記液晶表示パネルの駆動回路を内蔵するチップ部品が搭載されていることを特徴とする液晶表示装置。
【発明の詳細な説明】
【技術分野】
【０００１】
本発明は、液晶表示装置に関する。
【背景技術】
【０００２】
金属からなる上フレーム及び下フレームの間に液晶表示パネルを配置する構造が知られている（特許文献１）。この構造では、上フレームと下フレームの間には、液晶表示パネルの支持フレームやバックライトの光源となるランプの電極を覆うカバーなど多数の樹脂からなる部品が配置される。また、液晶表示パネルの端部には各画素のスイッチング素子のＯＮ−ＯＦＦを制御する走査信号線に接続されたゲートドライバや各画素に映像信号を供給するための映像信号線に接続されたドレインドライバなどのＩＣが搭載されたフレキシブル回路基板が取り付けられている。
【先行技術文献】
【特許文献】
【０００３】
【特許文献１】特開２００１−２０１７３３号公報
【発明の概要】
【発明が解決しようとする課題】
【０００４】
フレキシブル回路基板は、液晶表示パネルから突出するように配置されており、固定されずに浮いた状態になっている。特に、ゲートドライバが搭載されたフレキシブル回路基板において、この構造が多い。従来の液晶表示装置の構造では、液晶表示パネルを支持するモジュールにおいても複数の複合部品から構成されており、それらをうまく勘合させるためにスペースに余裕がない場合が多く、フレキシブル回路基板が他の部品に接触することがあったが、フレキシブル回路基板の断線やこれに搭載されたチップ部品の破損を防ぐためには、接触を避けることが好ましい。
【０００５】
本発明は、液晶表示パネルから突出するフレキシブル回路基板が他の部品と接触することの防止を目的とする。
【課題を解決するための手段】
【０００６】
（１）本発明に係る液晶表示装置は、上フレームと、下フレームと、前記上フレーム及び前記下フレームに挟まれて固定された中間フレームと、前記上フレームと前記中間フレームの間に配置された液晶表示パネルと、前記液晶表示パネルの端部に取り付けられて前記上フレームと前記中間フレームの間の空間に突出するフレキシブル配線基板と、前記液晶表示パネルと前記下フレームとの間に配置されて前記下フレームに取り付けられた蛍光管と、を有し、前記中間フレームは、前記液晶表示パネルの裏面を支持する支持部と、前記蛍光管の一部及び前記下フレームの前記蛍光管よりも外側の領域を覆う光反射カバー部と、前記支持部及び前記光反射カバー部を一体的に連結して前記上フレーム及び前記下フレームに固定されるための連結部と、を含み、前記連結部は、前記フレキシブル配線基板と対向する領域に凹部を有することを特徴とする。本発明によれば、中間フレームは、連結部が上フレーム及び下フレームに固定されるようになっており、支持部及び光反射カバー部は一体的に連結部に連結されている。したがって、１つの連結部によって支持部及び光反射カバー部を固定することができるため、連結部に凹部を形成することができる。比較例として、支持部及び光反射カバー部を別部品として構成すると、それぞれに上フレーム及び下フレームとの固定部分が存在するため、それぞれの固定部分を薄くしなければならないので、凹部を形成するスペースを得られない。本発明によれば、中間フレームが凹部を有することで、フレキシブル配線基板が中間フレームに接触することを避けることができる。
【０００７】
（２）（１）に記載された液晶表示装置において、前記フレキシブル配線基板には、前記凹部を向く側に、前記液晶表示パネルの駆動回路を内蔵するチップ部品が搭載されていることを特徴としてもよい。
【図面の簡単な説明】
【０００８】
【図１】本発明の実施形態に係る液晶表示装置を示す斜視図である。
【図２】図１に示す液晶表示装置のII−II線断面の拡大図である。
【図３】図１に示す液晶表示装置から上フレームを取り外した構造の一部を示す平面図である。
【図４】図３に示す構造のIV−IV線断面斜視図である。
【図５】図１に示す液晶表示装置から上フレーム、液晶表示パネル、拡散シート及び拡散板を取り外した構造を示す平面図である。
【図６】図５に示す構造からさらに中間フレームを取り外した構造を示す平面図である。
【図７】図５に示す構造のVII−VII線断面図である。
【図８】図５に示す構造のVIII−VIII線断面図である。
【発明を実施するための形態】
【０００９】
以下、本発明の実施形態について、図面を参照して説明する。図１は、本発明の実施形態に係る液晶表示装置を示す斜視図である。図２は、図１に示す液晶表示装置のII−II線断面の拡大図である。図３は、図１に示す液晶表示装置から上フレームを取り外した構造の一部を示す平面図である。図４は、図３に示す構造のIV−IV線断面斜視図である。
【００１０】
液晶表示装置は、液晶表示パネル１０を有する。液晶表示パネル１０の駆動方式は、ＩＰＳ（In Plane Switching）方式、ＴＮ（Twisted Nematic）方式又はＶＡ（Vertical Alignment）方式などいずれの方式であってもよく、方式に応じた電極及び配線が形成される。
【００１１】
液晶表示パネル１０の端部には、フレキシブル配線基板１６が取り付けられている。フレキシブル配線基板１６の配線（図示せず）は、液晶表示パネル１０に電気的に接続されている。フレキシブル配線基板１６には、液晶表示パネル１０の駆動回路を内蔵するチップ部品２０が搭載されている。チップ部品２０は、例えば、液晶表示パネル１０の薄膜トランジスタを制御するためのゲート電極に接続されるゲートドライバである。
【００１２】
液晶表示パネル１０は、表示面１２（上面）側の周縁部に上フレーム１４の一部が対向することで脱落の防止が図られている。上フレーム１４は、図２に示すように断面Ｌ字状の棒材が矩形に組まれて構成されている。上フレーム１４は金属から構成されている。
【００１３】
液晶表示パネル１０と重なるように、液晶表示パネル１０の裏面側に、拡散シート２２及び拡散板２４が配置されている。また、拡散板２４の液晶表示パネル１０とは反対側に、反射フィルム２６が配置されている。
【００１４】
液晶表示装置は、下フレーム２８を有する。下フレーム２８は金属から構成されている。下フレーム２８は、液晶表示パネル１０、拡散シート２２、拡散板２４及び反射フィルム２６を裏面側で覆うようになっている。
【００１５】
図５は、図１に示す液晶表示装置から上フレーム１４、液晶表示パネル１０、拡散シート２２及び拡散板２４を取り外した構造を示す平面図である。図６は、図５に示す構造からさらに中間フレーム１８を取り外した構造を示す平面図である。
【００１６】
液晶表示装置は、図２、図５及び図６に示すように、蛍光管３０（例えば冷陰極管）を有する。蛍光管３０は、内部にガス（例えばネオン−アルゴン（Ｎｅ−Ａｒ）ガスなどの不活性ガス）及び水銀が封入されている。
【００１７】
蛍光管３０は、反射フィルム２６の上方（液晶表示パネル１０の表示面１２とは反対側）に配置されている。蛍光管３０は、液晶表示パネル１０と下フレーム２８との間に配置されて下フレーム２８に取り付けられている。蛍光管３０は、並列する第１直線部３２及び第２直線部３４と、第１直線部３２の一方の端部及び第２直線部３４の一方の端部を接続する接続部３６と、を含む（図６参照）。接続部３６は、第１直線部３２及び第２直線部３４に隣接する少なくとも１つの屈曲部３８を有する。図６に示す例では、蛍光管３０は、２つの屈曲部３８を有してコ字状になっているが、１つの屈曲部３８を有するＵ字状になっていてもよい。
【００１８】
蛍光管３０の両端部は、隣同士に並ぶ。蛍光管３０は、ホルダ４０によって保持されている。ホルダ４０は、蛍光管３０の両端部を保持している。ホルダ４０は、下フレーム２８に取り付けられている。なお、補助ホルダ４２が、蛍光管３０の両端部以外の部分を保持している。
【００１９】
図７は、図５に示す構造のVII−VII線断面図である。図８は、図５に示す構造のVIII−VIII線断面図である。
【００２０】
液晶表示パネル１０は、中間フレーム１８を有する。中間フレーム１８は、樹脂から構成されている。液晶表示パネル１０は、上フレーム１４と中間フレーム１８の間に配置されている。
【００２１】
中間フレーム１８は、液晶表示パネル１０の裏面を支持する支持部５４を含む。支持部５４は、液晶表示パネル１０の表示面１２とは反対側（裏面側）の周縁部に対向する。
【００２２】
中間フレーム１８は、光反射カバー部４４を含む。光反射カバー部４４は、表示領域周辺の光を液晶表示パネル１０側へ反射させて、元々暗くなっていた周辺領域を明るくするためのものである。つまり、上述した反射フィルム２６でも光は反射するが、反射フィルム２６は蛍光管３０の下（液晶表示パネル１０から離れる方向）に配置されているので、光反射カバー部４４を、蛍光管３０の上（液晶表示パネル１０に近づく方向）に配置することで、反射の効率をさらに高めることができる。
【００２３】
光反射カバー部４４は、蛍光管３０の一部及び下フレーム２８の蛍光管３０よりも外側の領域を覆う。光反射カバー部４４は、蛍光管３０を通す穴又は切り欠き４６を有している。したがって、穴又は切り欠き４６の内側に配置された蛍光管３０は、その上方が光反射カバー部４４に覆われるのみならず、その側方も光反射カバー部４４に覆われている。要するに、光反射カバー部４４は蛍光管３０の一部を覆う。詳しくは、光反射カバー部４４は、蛍光管３０の少なくとも１つ（本実施形態では２つ）の屈曲部３８並びに第１直線部３２の一部（屈曲部３８に接続される部分）及び第２直線部３４の一部（屈曲部３８に接続される部分）を覆う。さらに、本実施形態では、光反射カバー部４４は、蛍光管３０の接続部３６を覆う。光反射カバー部４４は、下フレーム２８の、蛍光管３０よりも外側の領域を覆う。
【００２４】
中間フレーム１８は、支持部５４及び光反射カバー部４４を一体的に連結する連結部５６を含む。連結部５６は、上フレーム１４及び下フレーム２８に固定されるための凸部５８を含む。一対の凸部５８が相互に反対方向に凸になっている。詳しくは、一対の凸部５８は、支持部５４から、上フレーム１４の方向及び下フレーム２８の方向それぞれに凸となっている。これにより、一対の凸部５８で、上フレーム１４及び下フレーム２８に中間フレーム１８を挟みこめるようになっている。
【００２５】
連結部５６には、凹部６０が形成されている。凹部６０は上フレーム１４側に形成されている。凹部６０の底面が、支持部５４の表面よりも低い。また、凹部６０の深さは、支持部５４の厚みよりも大きい。上述した凸部５８で中間フレーム１８が上フレーム１４に接触するので、凸部５８を除いた領域では、元々、連結部５６と上フレーム１４との間には空間が形成される。これに加えて、凹部６０があることで空間が広くなっている。
【００２６】
本実施形態によれば、中間フレーム１８は、連結部５６が上フレーム１４及び下フレーム２８に固定されるようになっており、支持部５４及び光反射カバー部４４は一体的に連結部５６に連結されている。したがって、１つの連結部５６によって、支持部５４及び光反射カバー部４４を、上フレーム１４及び下フレーム２８に一括して固定することができる。そのため、連結部５６には、凹部６０を形成できるほどの厚みを確保できるようになっている。
【００２７】
比較例として、図示は省略するが、支持部及び光反射カバー部を別部品として構成すると、それぞれに上フレーム１４及び下フレーム２８との固定部分が存在するので、それぞれの固定部分を薄くしなければならず、凹部を形成するスペースを得られない。
【００２８】
連結部５６と上フレーム１４の間の空間にフレキシブル配線基板１６が突出している。フレキシブル配線基板１６は、図示しない配線が形成された面（又はこの面に搭載されたチップ部品２０）が連結部５６と対向するように配置されている。また、フレキシブル配線基板１６は、凹部６０と対向する。フレキシブル配線基板１６の、液晶表示パネル１０から突出した部分の少なくとも先端部は、その幅方向（突出方向に直交する方向）の全体が凹部６０と対向する。フレキシブル配線基板１６に搭載されたチップ部品２０は凹部６０を向く。
【００２９】
本実施形態によれば、中間フレーム１８が凹部６０を有することで、フレキシブル配線基板１６と中間フレーム１８（凹部６０の底面）との間隔を広く確保することができる。そのため、フレキシブル配線基板１６が中間フレーム１８に接触することを避けることができる。
【００３０】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３１】
１０  液晶表示パネル、１２  表示面、１４  上フレーム、１６  フレキシブル配線基板、１８  中間フレーム、２０  チップ部品、２２  拡散シート、２４  拡散板、２６  反射フィルム、２８  下フレーム、３０  蛍光管、３２  第１直線部、３４  第２直線部、３６  接続部、３８  屈曲部、４０  ホルダ、４２  補助ホルダ、４４  光反射カバー部、４６  切り欠き、５４  支持部、５６  連結部、５８  凸部、６０  凹部。
【図１】
2011138084.tif 000003
【図２】
2011138084.tif 000004
【図３】
2011138084.tif 000005
【図４】
2011138084.tif 000006
【図５】
2011138084.tif 000007
【図６】
2011138084.tif 000008
【図７】
2011138084.tif 000009
【図８】
2011138084.tif 000010